(57)【要約】【課題】  不慣れな作業者でも一定量のモルタルをブロックの所定面上に簡単に載せることができるブロック積み用鏝を提供すること。【解決手段】  モルタルを脱離可能に保持する板状鏝本体１１と、この板状鏝本体１１に接続された把持柄１２とからなるブロック積み用鏝１０であって、板状鏝本体１１が、一直線状に伸延するとともに一定の幅寸法ｗ１を有し上面１２ａにモルタルＭを載置可能なモルタル保持部１２と、当該モルタル保持部１２の上面１２ａと作る角αが鈍角である斜面部１５とからなり、当該板状鏝本体１１を長手方向軸線回りに回動させることによりモルタル保持部１２の他方長手方向側端部１４側からモルタルを滑り移行させてブロックの所定面に載せ可能に構成する。【選択図】図１
2005076418.tif 000002
【特許請求の範囲】
【請求項１】
モルタルを脱離可能に保持する板状鏝本体と、この板状鏝本体に接続された把持柄とからなるブロック積み用鏝であって、
前記板状鏝本体が、一直線状に伸延するとともに一定の幅寸法を有し上面にモルタルを載置可能なモルタル保持部と、このモルタル保持部の一方長手方向側端部と連続しており当該モルタル保持部の上面と作る角が鈍角である斜面部とからなり、当該板状鏝本体を長手方向軸線回りに回動させることによりモルタル保持部の他方長手方向側端部からモルタルを滑り移行させてブロックの所定面に載せ可能に構成されたことを特徴とするブロック積み用鏝。
【請求項２】
前記モルタル保持部の長手方向端部にモルタル止め部を設けた請求項１記載のブロック積み用鏝。
【請求項３】
前記把持柄が前記板状鏝本体の中央部と整合する位置に設けられた請求項１又は２記載のブロック積み用鏝。
【発明の詳細な説明】
【技術分野】
【０００１】
本発明は、ブロック（コンクリートブロック，レンガ等）積み作業に使用するのに好適なブロック積み用鏝に関する。
【背景技術】
【０００２】
ブロック積み作業を行って塀などを構築する場合、ブロック同士はモルタル（トロ）で接着されるが、このモルタル扱いには鏝が使われる。鏝としては、例えば図１０（Ａ），（Ｂ）に示す三角鏝５０がある（非特許文献１，２参照）。この三角鏝５０は、三角形の平面形状とされモルタルを脱離可能に保持する板状鏝本体５１と、この板状鏝本体５１に接続された把持柄５２とからなる。
【０００３】
三角鏝５０を用いたブロック積み作業は以下の手順で行われる。作業者は、三角鏝５０の把持柄５２を手に持ち、図１２に示すトロ箱（トロ船）５８内のモルタルＭを掬って、図図１０（Ｂ）中２点鎖線で示すように板状鏝本体５１の一側端部に載せる。そして、この三角鏝５０を、図１３（Ｂ）に示すように、ブロックＢの所定面まで運び、板状鏝本体５１を少し傾けて当該所定面上にモルタルＭを載せる。こうして、モルタルＭの載せ作業が完了したら、上方からブロックＢを積む（非特許文献３，４参照）。なお、図１３（Ａ），（Ｂ）では、構造強度確保のためにブロックＢ内に入れる鉄筋等は図示省略してある。
【０００４】
ところで、上記した三角鏝５０を用いたブロック積み作業では、作業者が熟練していなければ板状鏝本体５１に載せるモルタル量が一定せず、個々のブロックＢ上に載せるモルタル量にバラツキが生じやすい。そのため、作業者が鏝使いに不慣れな場合には、ブロック積みして構築された塀等の高さが揃わないなどの不都合が生じることになる。また、三角鏝５０に載せたモルタルＭは滑りやすく、ブロックＢに運ぶまでにモルタルＭの相当量を鏝５０から落としてしまう事態も生じる。これでは、周辺がモルタルＭで汚れることになるとともに、不経済であり、モルタル載せ回数が増えて作業効率も低下することになる。
【０００５】
また、上記ブロック積み作業に、図１１（Ａ），（Ｂ）に示す鏝５４が使われることがある。この鏝５４は、横断面が半円形状とされモルタルを脱離可能に保持する板状鏝本体５５と、この板状鏝本体５５に接続された把持柄５６とからなる。
【０００６】
上記した鏝５４では、横断面半円形状の板状鏝本体５５に摺り切りしてモルタルを保持するので、ブロック上に載せるモルタル量が一定することになるが、モルタルが鏝本体５５から離れにくく、作業者が不慣れな場合には著しく作業能率が低下することになる。
【非特許文献１】左官道具（http://www2.117.ne.jp/~Nakasho/kote/kote_kote2.htm）
【非特許文献２】鏝一覧（http://www.kanamonojapan.com/webshop/a1pr0501.htm）
【非特許文献３】ヒートテックまめ知識「レンガ積作業」（http://www.heat-tech.co.jp/taikazai.html）
【非特許文献４】http://www.techno-qanda.net/dsweb/Get/Document-12273/%E7%AF%89%E7%82%89%E6%8A%80%E8%83%BD%E3%83%9E%E3%83%8B%E3%83%A5%E3%82%A2%E3%83%AB-%E5%9F%BA%E7%A4%8E%E7%B7%A8006p30%E3%80%9C37.pdf
【発明の開示】
【発明が解決しようとする課題】
【０００７】
本発明の目的は、不慣れな作業者でも一定量のモルタルをブロックの所定面上に簡単に載せることができるブロック積み用鏝を提供することにある。
【課題を解決するための手段】
【０００８】
請求項１の発明は、モルタルを脱離可能に保持する板状鏝本体と、この板状鏝本体に接続された把持柄とからなるブロック積み用鏝であって、前記板状鏝本体が、一直線状に伸延するとともに一定の幅寸法を有し上面にモルタルを載置可能なモルタル保持部と、このモルタル保持部の一方長手方向側端部と連続しており当該モルタル保持部の上面と作る角が鈍角である斜面部とからなり、当該板状鏝本体を長手方向軸線回りに回動させることによりモルタル保持部の他方長手方向側端部からモルタルを滑り移行させてブロックの所定面に載せ可能に構成されたものである。
【０００９】
上記請求項１の発明では、板状鏝本体のモルタル保持部にモルタルを載せる場合、当該モルタル保持部は作業者が明確に目視可能であり、また斜面部によってモルタル量が過大になるのが規制されるため、モルタル保持部に載せるモルタル量を容易に一定化することができる。
【００１０】
そして、板状鏝本体に載せたモルタルをブロックの所定面まで運ぶ際には、当該鏝本体を少し傾けてモルタルがモルタル保持部と斜面部との間の隅部分に位置するようにすれば、当該モルタルが滑り落ちるのを確実に防止できる。
【００１１】
そして、板状鏝本体のモルタル保持部の他方長手方向側端部をブロックの所定面に当接させ、その状態で当該鏝本体を長手方向軸線回りに少し回動させれば、当該モルタル保持部上のモルタルは円滑に滑ってブロックの所定面に載せられる。
【００１２】
請求項２の発明によれば、前記モルタル保持部の長手方向端部にモルタル止め部を設けたものである。
【００１３】
上記請求項２の発明の場合、請求項１の発明の場合と同様な作用・効果を奏し得る他、モルタル保持部の長手方向端部からのモルタルの漏出を一段と完全に防止できる。
【００１４】
請求項３の発明によれば、前記把持柄が前記板状鏝本体の中央部と整合する位置に設けられたものである。
【００１５】
上記請求項３の発明では、請求項１又は２の発明の場合と同様な作用・効果を奏し得る他、作業者が把持柄を手で持った場合の重量バランスが良くなる。
【発明の効果】
【００１６】
請求項１の発明によれば、不慣れな作業者でも一定量のモルタルをブロックの所定面上に簡単に載せることができる。
【００１７】
請求項２の発明によれば、不慣れな作業者でも一定量のモルタルをブロックの所定面上に一段と簡単に載せることができる。
【００１８】
請求項３の発明によれば、請求項１又は２の発明の場合と同様な作用・効果を奏し得る他、作業者が把持柄を手で持った場合の重量バランスが良くなり、作業性能のより一層の向上を図れる。
【発明を実施するための最良の形態】
【００１９】
本発明の最良の実施形態を図面を参照しながら説明する。
【００２０】
本発明に係るブロック積み用鏝１０は、図１に示すように、モルタルを脱離可能に保持する板状鏝本体１１と、この板状鏝本体１１に接続された把持柄２１とを有し、板状鏝本体１１がモルタル保持部１２と斜面部１５とからなり、当該板状鏝本体１１を長手方向軸線回りに回動させることにより、モルタル保持部１２の他方長手方向側端部１４側からモルタルを滑り移行させてブロックの所定面に載せ可能に構成されたものである。
【００２１】
以下、各構成要素について詳述する。
【００２２】
板状鏝本体１１は、モルタルを脱離可能に保持するものである。この板状鏝本体１１は、種々の材料から形成可能であるが、この実施形態では、ステンレス鋼製とされている。また、板状鏝本体１１の長手方向寸法Ｌ１は、ブロックの長さにあわせて４００ｍｍとされている。なお、ブロックとしては、コンクリートブロックが選定されているが、これに限定されるものではなく、例えば煉瓦でもよい。
【００２３】
この板状鏝本体１１のモルタル保持部１２は、一直線状に伸延するとともに一定の幅寸法ｗ１を有し、その上面１２ａにモルタルＭを載置可能に形成されている。この実施形態では、モルタル保持部１２は、平面形状とされている。
【００２４】
次に、板状鏝本体１１の斜面部１５は、その一方長手方向側端部１５ａが上記したモルタル保持部１２の一方長手方向側端部１３と連続しており、当該モルタル保持部１２の上面１２ａと作る角αが鈍角であるように形成されている。この実施形態では、斜面部１５とモルタル保持部１２の上面１２ａとの作る角θは、１０３°とされている。なお、斜面部１５の他方長手方向側端部１５ｂは上面部１６と連続している。この上面部１６の図１（Ａ）中右端部には、把持柄２１が連結部材２２を介して接続されている。
【００２５】
上記構成のブロック積み用鏝１０では、図２（Ａ），（Ｂ）に示すように、板状鏝本体１１のモルタル保持部１２にモルタルＭを載せる場合、当該モルタル保持部１２は作業者が明確に目視可能であり、また斜面部１５がモルタル量が過大になるのを規制するため、モルタル保持部１２に載せるモルタル量を容易に一定化することができる。
【００２６】
そして、板状鏝本体１１に載せたモルタルＭを、図３に示すブロックＢの所定面まで運ぶ際には、当該鏝本体１１を少し傾けてモルタルＭがモルタル保持部１２と斜面部１５との間の隅部分に位置するようにすれば、当該モルタルＭが滑り落ちるのを確実に防止できる。
【００２７】
そして、図３（Ａ），（Ｂ）に示すように、板状鏝本体１１のモルタル保持部１５の他方長手方向側端部１４をブロックＢの所定面に当接させ、その状態で当該鏝本体１１を長手方向軸線回りに少し回動（矢印α方向）させれば、同図（Ｃ）に示すように、モルタルＭは当該モルタル保持部１２の上面１２ａを円滑に滑ってブロックＢの所定面に載せられる。なお、この際、モルタル保持部１２と斜面部１５とが作る角αは鈍角であるので、両者（１２，１５）の間の隅部分にあるモルタルＭは、残存することなく自重によって円滑に当該隅を離れてブロックＢ側へ移行する。
【００２８】
而して、板状鏝本体１１がモルタル保持部１２と斜面部１５とからなり、当該板状鏝本体１１を長手方向軸線回りに回動させることにより、モルタル保持部１２の他方長手方向側端部１４側からモルタルＭを滑り移行させて、ブロックＢの所定面に載せ可能に構成されているので、不慣れな作業者でも一定量のモルタルＭをブロックＢの所定面上に簡単に載せることができる。
【００２９】
なお、上記実施形態では、把持柄２１を板状鏝本体１１の一端部に接続したが、これに限定されるものではなく、例えば図４に示すように、把持柄２１を板状鏝本体１１の中央部と整合する位置に設けてもよい。かかる構成とすることにより、作業者が把持柄２１を手で持った場合の重量バランスが良くなる。
【００３０】
また、板状鏝本体１１の長さＬ１を４００ｍｍとしたが変更可能である。例えば、図５に示すように、板状鏝本体１１の長さＬ１を短寸法（ここでは、２００ｍｍ）としてもよい。
【００３１】
また、図６（Ａ），（Ｂ）に示すように、板状鏝本体１１の長手方向端部（１２ｂ，１２ｃ）にモルタル止め部３１を設けてもよい。かかる構成とすることにより、モルタル保持部１２の長手方向端部（１２ｂ，１２ｃ）からのモルタルＭが流出しようとしても当該モルタル止め部３１によって阻止される。
【００３２】
また、板状鏝本体１１のモルタル保持部１２を平面形状としたが、図７に示すように、横断面が円弧形状となるように形成してもよい。
【００３３】
また、図８に示すように、板状鏝本体１１にスケール１８を表示してもよい。かかる構成により、モルタルの載せ位置等の見当を簡単につけることができるとともに、物差しの代用品としても利用できる。
【００３４】
また、図９に示すように、モルタル保持部１２の他方長手方向側端部１４を斜面形状としてもよい。かかる構成により、モルタル保持部１２からブロックＢへのモルタルＭの移行を一段と円滑に行える。
【００３５】
また、板状鏝本体１１をステンレス鋼製としたが、これに限定されるものではなく、それ以外の金属材料（例えば、熱処理やテフロン(登録商標）加工された鉄鋼，アルミニウム合金）、合成樹脂、木、カーボン、ゴム等で形成してもよい。
【００３６】
また、斜面部１５とモルタル保持部１２の上面１２ａとの作る角θを１０３°としたが、鈍角であれば任意に選定可能である。
【図面の簡単な説明】
【００３７】
【図１】本発明の全体構成を示す図である。
【図２】モルタル保持部にモルタルを保持させた状態を示す図である。
【図３】モルタルの所定面へモルタルを載せる作業を説明するための図である。
【図４】本発明に係るブロック積み用鏝の変形例（１）を示す図である。
【図５】本発明に係るブロック積み用鏝の変形例（２）を示す図である。
【図６】本発明に係るブロック積み用鏝の変形例（３）を示す図である。
【図７】本発明に係るブロック積み用鏝の変形例（４）を示す図である。
【図８】本発明に係るブロック積み用鏝の変形例（５）を示す図である。
【図９】本発明に係るブロック積み用鏝の変形例（６）を示す図である。
【図１０】ブロック積み用鏝の従来例（１）を示す図である。
【図１１】ブロック積み用鏝の従来例（２）を示す図である。
【図１２】トロ箱を示す図である。
【図１３】従来の鏝を用いたブロック積み作業を説明するための図である。
【符号の説明】
【００３８】
１０  ブロック積み用鏝
１１  板状鏝本体
１２  モルタル保持部
１３  一方長手方向側端部
１４  他方長手方向側端部
１５  斜面部
１６  上面部
１８  スケール
２１  把持柄
２２  連結部材
３１  モルタル止め部
【図１】
2005076418.tif 000003
【図２】
2005076418.tif 000004
【図３】
2005076418.tif 000005
【図４】
2005076418.tif 000006
【図５】
2005076418.tif 000007
【図６】
2005076418.tif 000008
【図７】
2005076418.tif 000009
【図８】
2005076418.tif 000010
【図９】
2005076418.tif 000011
【図１０】
2005076418.tif 000012
【図１１】
2005076418.tif 000013
【図１２】
2005076418.tif 000014
【図１３】
2005076418.tif 000015